(57)【要約】【課題】表示面の前方に遮蔽物が存在するときに、これを考慮したレイアウトにて表示を可能とした表示装置を提供することを目的とする。【解決手段】情報を表示する表示面を有する表示部（１８）と、前記表示面と前記表示を見る観察者（２００）との間に介在し前記表示面の少なくとも一部を前記観察者から遮蔽する表示遮蔽物（２０）を検出する表示遮蔽物検出部（１２）と、前記表示遮蔽物検出部により検出された結果に基づいて、前記表示面のうちで表示が遮蔽される表示遮蔽領域（１８Ａ）を決定する表示遮蔽領域確定部（１４）と、前記表示遮蔽領域確定部により決定された前記表示遮蔽領域に応じて前記情報のレイアウトを決定し前記表示部に出力する表示レイアウト部（１６）と、を備えたことを特徴とする表示装置を提供する。【選択図】    図１
2004302124.tif 000002
【特許請求の範囲】
【請求項１】
情報を表示する表示面を有する表示部と、
前記表示面と前記表示を見る観察者との間に介在し前記表示面の少なくとも一部を前記観察者から遮蔽する表示遮蔽物を検出する表示遮蔽物検出部と、
前記表示遮蔽物検出部により検出された結果に基づいて、前記表示面のうちで表示が遮蔽される表示遮蔽領域を決定する表示遮蔽領域確定部と、
前記表示遮蔽領域確定部により決定された前記表示遮蔽領域に応じて前記情報のレイアウトを決定し前記表示部に出力する表示レイアウト部と、
を備えたことを特徴とする表示装置。
【請求項２】
前記表示遮蔽物検出部は、前記表示遮蔽物を接触方式により検出することを特徴とする請求項１記載の表示装置。
【請求項３】
前記表示遮蔽物検出部は、前記表示遮蔽物を非接触方式により検出することを特徴とする請求項１記載の表示装置。
【請求項４】
前記表示遮蔽領域確定部は、前記表示遮蔽物検出部により検出された前記表示遮蔽物のサイズよりも膨張させた領域を前記表示遮蔽領域と決定することを特徴とする請求項１〜３のいずれか１つに記載の表示装置。
【請求項５】
前記表示遮蔽領域確定部は、前記観察者の位置または視線に基づいて前記表示遮蔽領域を決定することを特徴とする請求項１〜４のいずれか１つに記載の表示装置。
【請求項６】
前記表示レイアウト部は、前記情報を前記表示遮蔽領域の外側にレイアウトすることを特徴とする請求項１〜５のいずれか１つに記載の表示装置。
【請求項７】
前記表示レイアウト部は、前記表示面のうちの前記表示遮蔽領域の外側の領域のサイズが小さい時には、前記情報の一部のみを表示することを特徴とする請求項６記載の表示装置。
【請求項８】
前記表示レイアウト部は、前記情報の少なくとも一部を前記表示遮蔽領域の内側にレイアウトすることを特徴とする請求項１〜５のいずれか１つに記載の表示装置。
【発明の詳細な説明】
【０００１】
【発明の属する技術分野】
本発明は、表示装置に関し、特に、表示遮蔽物を検出し、表示遮蔽領域を確定し、表示データをレイアウトして表示する表示装置に関する。
【０００２】
【従来の技術】
視覚による情報伝達は、広告、教育、ビジネスをはじめとする各種の場において、極めて重要な役割を有する。例えば、ポスターや表示ディスプレイによる広告は、不特定多数の人間に対して視覚に直接的に訴える点で大きな効果を有する。
【０００３】
しかし、広告を表示するために用いられる通常用いられるポスターや表示装置では、その前面に表示を遮蔽する物が存在した場合には、その背後からは表示内容を見ることができないという問題がある。例えば、電車の車両内に設置されたディスプレイやポスター等の広告の前に人が立ったり、荷物が置かれたりすることで、広告が遮蔽され見えなくなる場合がある。
【０００４】
また最近、ファーストフード・レストランなどにおいては、トレイの上に、広告が印刷された紙を置くことが多い。
【０００５】
図３８は、このようなトレイを表す模式図である。例えば、ハンバーガー店において、同図（ａ）に表したように、トレイ１０１の上に、各紙の広告情報が記載された紙１０２が置かれる。しかし、同図（ｂ）に表したように、トレイ１０１の上にハンバーガーやドリンクなどの品物１０３を置いてしまうと、その広告が隠れてしまい、知らせたい情報や広告を見ることができなくなる。このように、これまでの固定表示方式では、表示し、知らせたい情報が、その前面の状況によって見えなくなってしまうことがあった。
【０００６】
一方、周辺の状況に応じて表示が変更される例としては、入力に応じて表示データが変更されるＡＴＭやモーション・プロセッサといった既存の技術がある。例えば、銀行のＡＴＭでは、人が前面に立つとそれを検知し、音声とともに導入画面が表れるようにされたものがある。そして、タッチパネルなどにより検出した入力に応じて表示が変更される。また、モーション・プロセッサにおいては、非接触の入力手段を用いて入力された結果に基づき、表示素材データを加工・変更し、表示する。
【０００７】
しかしながら、これらのいずれも、表示装置の前面に置かれた表示を遮蔽する物を考慮した表示を行うことはない。つまり、表示し、知らせたい情報が、周辺状況によって見えなくなってしまうという問題を解決することはできない。
【０００８】
【発明が解決しようとする課題】
以上説明したように、これまでの表示装置においては、その周辺状況によって、知らせたい情報を的確に伝えられなくなるという問題点があった。
【０００９】
本発明は、かかる課題の認識に基づいてなされたものであり、その目的は、表示面の前方に遮蔽物が存在するときに、これを考慮したレイアウトにて表示を可能とした表示装置を提供することにある。
【００１０】
【課題を解決するための手段】
上記目的を達成するため、本発明の表示装置は、情報を表示する表示面を有する表示部と、前記表示面と前記表示を見る観察者との間に介在し前記表示面の少なくとも一部を前記観察者から遮蔽する表示遮蔽物を検出する表示遮蔽物検出部と、前記表示遮蔽物検出部により検出された結果に基づいて、前記表示面のうちで表示が遮蔽される表示遮蔽領域を決定する表示遮蔽領域確定部と、前記表示遮蔽領域確定部により決定された前記表示遮蔽領域に応じて前記情報のレイアウトを決定し前記表示部に出力する表示レイアウト部と、を備えたことを特徴とする。
【００１１】
上記構成によれば、  表示面の前方に遮蔽物が存在するときに、これを考慮したレイアウトにて表示を可能とした表示装置を提供することができる。
【００１２】
ここで、前記表示遮蔽物検出部は、前記表示遮蔽物を接触方式により検出するものとすることができる。
【００１３】
または、前記表示遮蔽物検出部は、前記表示遮蔽物を非接触方式により検出するものとすることができる。
【００１４】
また、前記表示遮蔽領域確定部は、前記表示遮蔽物検出部により検出された前記表示遮蔽物のサイズよりも膨張させた領域を前記表示遮蔽領域と決定するものとすることができる。
【００１５】
また、前記表示遮蔽領域確定部は、前記観察者の位置または視線に基づいて前記表示遮蔽領域を決定するものとすることもできる。
【００１６】
また、前記表示レイアウト部は、前記情報を前記表示遮蔽領域の外側にレイアウトするものとすることができる。
【００１７】
ここで、前記表示レイアウト部は、前記表示面のうちの前記表示遮蔽領域の外側の領域のサイズが小さい時には、前記情報の一部のみを表示するものとすることができる。
【００１８】
また、前記表示レイアウト部は、前記情報の少なくとも一部を前記表示遮蔽領域の内側にレイアウトするものとすることができる。
【００１９】
【発明の実施の形態】
以下、図面を参照しつつ、本発明の実施の形態について詳細に説明する。
【００２０】
図１は、本発明の実施の形態にかかる表示装置の全体構成を例示するブロック図である。すなわち、本実施形態の表示装置１０は、表示遮蔽物検出部１２と、表示遮蔽領域確定部１４と、表示レイアウト部１６と、表示部１８と、を有する。
【００２１】
図２は、これら各部において実行される処理を表すフローチャートである。なお、このフローチャートには、図１に表した構成要素に対応した符号を付した。
また、図３は、本実施形態の表示装置の動作を例示する模式図である。以下、図１乃至図３を参照しつつ、この表示装置について説明する。
【００２２】
まず、表示遮蔽物検出部１２は、表示を遮蔽する物、例えば、表示部１８の上に置かれた品物を検出する。図３（ａ）は、表示遮蔽部が置かれる前を表し、図３（ｂ）は、表示部１８の上に表示遮蔽物２０が置かれた状態を表す。同図に表したように、表示遮蔽物２０が置かれたことにより、もともとの表示の一部が見えなくなる。
【００２３】
表示遮蔽物検出部１２は、このような表示遮蔽物２０の存在を、接触的または非接触的に検出し、遮蔽物データとして出力する。
【００２４】
表示遮蔽物２０を接触的に検出する方法としては、例えば、タッチセンサや、圧力センサ、容量センサなどを挙げることができる。つまり、表示画面の上に物体が接触して配置された場合には、これらセンサにより、物体すなわち表示遮蔽物を検出することができる。なおこの場合、略水平に配置された表示画面の上に物体が置かれた場合のみならず、略垂直に配置された表示画面に対して物体が接触するような場合も検出が可能である。
【００２５】
一方、物体を非接触的に検出する方法としては、赤外線、可視光、紫外線、その他各種の電磁波、温度、磁界、電界などを利用したものを挙げることができる。具体的には、例えば、撮像素子、赤外線センサ、光センサ、温度センサ、磁界センサ、レーザレーダー、マイクロ波レーザなどの各種のセンサを用いることができる。
【００２６】
また一方、後に詳述するように、表示遮蔽物検出部１２において、さらに、視線２２に関する情報を検出するようにしてもよい。つまり、表示部１８を見る人間の視線を検出したり、または人間の存在やその位置を検出する。視線を検出する方法としては、各種の光センサや撮像センサを用いることが可能である。また、人間の存在や位置を検出する方法としては、接触式または非接触式のセンサとして前述した各種の方法を用いることができる。
【００２７】
次に、表示遮蔽領域確定部１４は、表示遮蔽物検出部１２から出力された表示遮蔽物に関するデータに基づき、  表示遮蔽物２０により表示が遮蔽されている領域を確定する。例えば、図３（ｂ）において、表示遮蔽物２０の直下の領域を表示が遮蔽されている領域と決定することができる。また、後に詳述するように、表示遮蔽物２０の３次元的な形状や、視線の位置に基づいて、表示が遮蔽されている領域を決定するようにしてもよい。
【００２８】
次に、表示レイアウト部１６は、表示遮蔽領域確定部１４により確定された表示遮蔽領域を考慮し、表示素材データ２４のレイアウトを決定する。例えば、図３（ｂ）のように表示遮蔽物２０が置かれた場合、その部分に表示素材データ２４が表示されないように、レイアウトを変更する。
【００２９】
表示部１８は、表示レイアウト部１６により決定された表示レイアウトに基づいて、表示素材データ２４を表示する。その結果として、図３（ｃ）に例示したように、表示遮蔽物２０により遮蔽された表示領域を避けて、必要なデータを表示することができる。
【００３０】
以下、具体例を参照しつつ、本発明の表示装置についてさらに詳細に説明する。
【００３１】
図４は、本実施形態の表示装置の上に表示遮蔽物２０が置かれた状態を表す模式斜視図である。また、図５乃至図７は、その動作を説明するための模式平面図である。
【００３２】
本具体例においては、表示装置１０は接触センサつきのトレイであり、表示遮蔽物検出部１２は表示部１８の上に設けられた接触センサである。表示遮蔽物検出部１２によって検出される領域は、表示遮蔽物２０との接触部分である。また、表示・非表示の切り替えを行う表示制御データはビットマップで管理するものとする。
【００３３】
図４において、表示装置であるトレイ１０の上に、表示遮蔽物２０が載せられると、表示遮蔽物検出部１２によって表示遮蔽物２０と表示部１８との接触部分（入力物体領域）２０Ａが検出される。そして、検出されたデータは、表示遮蔽領域確定部１４に送出される。しかしこのとき、実際の物体の外周は、接触部分２０Ａよりも大きいため、接触部分２０Ａをそのまま表示遮蔽領域と考えることはできない。すなわち、図６に表したように、上から表示部１８を眺めた場合はに、接触部２０Ａよりも大きな範囲１８Ａが、表示が遮蔽されている領域である。
【００３４】
この場合、表示遮蔽領域確定部１４は、例えば、「膨張」と呼ばれる画像処理技術を用いて、接触部２０Ａを適宜、膨らませることにより、表示遮蔽領域１８Ａを確定することができる。すなわち、膨張処理においては、接触部２０Ａとの距離が、別途定めた距離ｄ以下の画素をすべて接触部２０Ａに追加する処理を行えば良い。具体的には、例えば、結果を格納するビットマップの記憶領域を確保しておき、図７に表したように、左上から右下に向かって１画素ずつ、各画素１８Ｐについて半径ｄの円１８Ｃを想定する。そして、これらそれぞれの円１８Ｃと接触部２０Ａとに共通領域が存在するか否かを調べる。円１８Ｃと接触部２０Ａとに共通領域が存在する場合はに、その画素１８Ｐを表示遮蔽領域１８Ａに含め、共通領域が存在しない場合には、その画素１８Ｐは表示遮蔽領域１８Ａに含めないとする処理を行えば良い。表示部１８の全体に亘ってこの処理を行い、得られた表示遮蔽領域１８Ａの画素データを表示遮蔽領域確定部の出力とする。
【００３５】
表示レイアウト部１６は、この画素データに基づき、これら表示遮蔽領域１８Ａに表示素材データが配置されないように、レイアウトを調節する。そして、表示部１８は、このレイアウトにより表示素材データを表示する。
【００３６】
次に、本実施形態の表示装置のもうひとつの具体例を説明する。
図８乃至図１０は、本具体例の表示装置を説明するための模式斜視図である。
【００３７】
本具体例では、接触部２０Ａと、人間２００の目の位置に関する情報と、を入力とし、ステップ１、ステップ２、ステップ３によって表示遮蔽領域１８Ａの算出を行い、得られた表示遮蔽領域情報を出力する。各ステップの内容は、概略以下のとおりである。
【００３８】
まず、ステップ１として、図８に表したように、タッチパネル入力などにより、接触部２０Ａに関する情報が２次元平面のデータとして与えられる。また一方、表示遮蔽物２０の３次元的な形状に関する情報が与えられる。すると、表示遮蔽領域確定部１４は、入力されたこれら情報から、図９に表したように、３次元空間における表示遮蔽物２０を推定する。例えば、表示装置１０によって対応可能な表示遮蔽物２０の高さをあらかじめ定め、接触部２０Ａを底面とする柱状部分を、その３次元空間において表示遮蔽物２０が占める領域と判断する。なお、マルチカメラを用いた場合のように、表示遮蔽物２０の３次元的な形状を検出し、その３次元空間データが表示遮蔽領域確定部１４に与えられる場合には、このステップでは何もしなくて良い。
【００３９】
次に、ステップ２として、表示遮蔽物２０の３次元的なデータと、表示を見る人間２００の目の位置に関する情報を使い、表示部１８のうちの可視領域を推定する。例えば、人間２００の目の位置を点光源としたときに、そこから光が到達する部分を表示部１８の可視領域とすることができる。この時、人間２００の目の位置に関する情報は、表示遮蔽物検出部１２が別途検出してもよい。
【００４０】
一方、人間２００の目の位置がわからない場合は、あらかじめ定めた適当な値を使い、上述の方法で推定しても良いし、図７に関して前述したように、表示部１８と表示遮蔽物２０とが接する（と推定できる）領域を適当に膨張させた領域を不可視領域としても良い。
【００４１】
次に、ステップ３として、不可視領域から、表示遮蔽領域１８Ａを決定する。例えば、不可視領域をそのまま表示遮蔽領域１８Ａとすることができる。また、可視領域に含まれる最大の矩形を算出し、その矩形以外の領域を表示遮蔽領域１８Ａとしても良い。また、可視領域から、あらかじめ定めた幅および高さに達しない領域を除外し、これら除外された部分を表示遮蔽領域１８Ａに含めても良い。
【００４２】
なお、表示部１８が曲面の場合には、それを近似的に平面とみなして上述した方法を実行しても良いし、表示遮蔽領域１８Ａの推定にあたり表示部１８を曲面として不可視領域の算出を行っても良い。
【００４３】
また、上述した２次元平面データは、例えば単位画素の集合であるビットマップで表現してもよいし、または、頂点とその連結関係とを記述した線の集合として表現しても良い。３次元データについても、ビットマップで表現しても、頂点とその連結関係を記述した面の集合として表現しても良い。
【００４４】
次に、表示レイアウト部１６について具体的に説明する。
【００４５】
本実施形態における表示レイアウト部１６は、例えば電子回路により構成され、表示遮蔽領域確定部１４によって確定された表示遮蔽領域１８Ａに関するデータを入力して、表示素材データのレイアウトを決定する。
【００４６】
図１１及び図１２は、表示レイアウト部における処理の一例を説明するための模式図である。まず、図１１（ａ）及び図１２（ａ）は、表示部１８の前に表示遮蔽物２０が置かれ、表示データ２４の一部が遮られた状態を表す。この時、表示部１８は、表示遮蔽領域１８Ａと表示可能領域１８Ｂとにより構成される。これら領域に関するデータは、表示遮蔽領域確定部１４から出力される。具体的には、例えば、２次元配列されたデータを用いて、表示可能領域１８Ｂであれば「１」を、表示遮蔽領域１８Ａであれば「０」を格納する。表示レイアウト部１６は、まず、これら表示遮蔽領域１８Ａと表示可能領域１８Ｂとを認識する。
【００４７】
表示レイアウト部１６は、次に、表示部１８の上において２点で表される長方形について、そのすべての組み合わせを検査し、表示遮蔽領域１８Ａを含まないものを検出する。そして、それらの長方形のうちで面積が最大となるものを検出する。図１１（ｂ）及び図１２（ｂ）はそのその一例を表すものであり、点５０４と点５０５とによって表される長方形５０３が得られた状態を表す。
【００４８】
次に、図１１（ｃ）に表したように、表示レイアウト部１６は、長方形５０３の中に表示データ２４を再配置する。この時、表示データ２４の位置は、例えば、表示データ２４の重心と長方形５０３の重心とが一致するような位置とすることができる。
【００４９】
また、移動前の表示データ２４のサイズが長方形５０３よりも大きい場合には、図１２（ｃ）に例示したように、表示データ２４を縮小すればよい。
【００５０】
図１３は、表示レイアウト部１６における処理の手順の一例を表すフローチャートである。
まず、ステップＳ１１において表示データ２４を入力し、ステップＳ１２において表示遮蔽領域１８Ａに関するデータを入力する。
次に、ステップＳ１３において表示データ２４と表示遮蔽領域１８Ａとが重なっているかどうかを判定し、重なっていない場合には、ステップＳ１４において現在の表示データ２４をそのまま表示する。
【００５１】
一方、ステップＳ１３において、表示データ２４と表示遮蔽領域１８Ａとが重なっている場合には、ステップＳ１５において、表示可能領域１８Ｂから面積が最大になる長方形を算出し、表示領域とする。そして、ステップＳ１６において表示データ２４をこの矩形状の表示領域の中心に配置し、ステップＳ１７において、表示データ２４が表示領域より大きい場合には縮小してはみ出さないようにする。
【００５２】
図１４は、表示レイアウト部１６における処理のもうひとつの例を表すフローチャートである。同図については、図１３に関して前述したものと同様の要素には同一の符号を付して詳細な説明は省略する。
本具体例の場合、常にステップＳ１５において表示可能領域から面積が最大になる矩形を算出する。つまり、表示遮蔽物２０のサイズに応じて、表示データを常に最大のサイズで表示させることができる。この方法は、表示遮蔽物２０が小さくなった時に、これに応じて表示データ２４を大きく表示できる点で有利である。
【００５３】
以下、実施例を参照しつつ、本実施形態の表示装置についてさらに詳細に説明する。
【００５４】
（第１の実施例）
まず、本発明の第１の実施例として、ファーストフード・レストランやパン屋などで用いることができるトレイ（お盆）に本発明を応用した実施例について説明する。
【００５５】
図１５は、本実施例の表示装置を搭載したトレイを表す模式図である。
また、図１６は、その動作の全体を表すフローチャートであり、図１７は、そ動作をさらに詳細に表したフローチャートである。
【００５６】
トレイ１０には、従来は紙により表されていた広告などの文字列・図形を表示する表示部１８が搭載されている。表示部１８には、例えば、液晶ディスプレイや、ＥＬディスプレイなどの薄型軽量ディスプレイを用いることができる。トレイは、このような表示部１８と一体構造としてもよい。
【００５７】
トレイ１０の表示部１８には、例えば、１０ｍｍ角にブロック化された、タッチセンサ・アレイを設ける。但し、１０ｍｍ角に限定する必要はなく、個々のセンサが細かければ、形状をより正確に捉えることができるし、より粗ければ全体構成を簡略化できるので、必要に応じて適当な大きさを選べばよい。また、タッチセンサの代わりに、圧力センサ、重量センサ、光センサなどを用いても良い。また、トレイに載せるものが、熱を持っているものである場合には、温度センサや赤外線センサなどを用いてもよい。
【００５８】
また、トレイ１０には、必要に応じて、ディスプレイなどを駆動するための軽量の電源を設けてもよい。その場合には、トレイ１０に組み込んでも違和感のない薄型の電池などが良い。また、その充電は無線で行えると便利である。
【００５９】
またさらに、トレイ１０には、表示データを格納するメモリや、データを入力する有線もしくは無線の入力機能が適宜設けられている。無線を用いれば、複数のトレイに一度にデータを入力できる。また、入力機能は、有線であってもよい。複数のトレイが重ねられた状態で互いの電極がつながるように設計すれば、これらトレイに対して一括入力が可能である。
【００６０】
また、予め、トレイ内に複数種類のデータを保存しておき、使用者（お客）の性別や年齢層などの特徴により、はじめに手渡すときに、それら複数のデータから、ふさわしい内容を店員が選んで表示させる機能を設けても良い。
【００６１】
まず、トレイになにも載っていない状態では、図１５（ａ）に例示したように、「本日のお買い得品は○○です。」や「次回のパンの焼き上がりまで、あと○○分です。」などの、広告やお客の知りたい文字・図形情報などが、表示されている。
次に、図１５（ｂ）に表したように、お客がトレイにパンなどの表示遮蔽物２０を載せる。すると、タッチセンサ（表示遮蔽物検出部）が、トレイのどの部分にものが置かれたか、およびその形状を検出する。すると、表示遮蔽領域確定部１４は、表示遮蔽物２０の位置と形状に関するデータに基づいて、表示遮蔽領域１８Ａを確定する。次に、表示レイアウト部１６は、表示すべき文字列や図形の表示位置や表示サイズを算出する。
【００６２】
その結果として、それまで表示していた文字情報「本日のお買い得品は○○です。」が、図１５（ｃ）に表したように、表示遮蔽物２０から逃げて矢印の方向へ移動する。つまり、トレイ上の文字情報量を保持したままに、表示形式を変化させる。
【００６３】
さらに、図１８（ｂ）に表したように、次の品物（表示遮蔽物）をトレイの上に載せた場合にも、同様に表示遮蔽物２０（例えば、パンなど）の位置と形状を検出する表示遮蔽物検出部１２がこれらを検出する。そして、その検出データに基づいて、表示遮蔽領域確定部１４が働き、表示すべき文字列や図形の表示位置を算出する表示レイアウト部１６が働き、算出された位置に文字列や図形を表示する表示部１８が働き、表示データが表示される。
【００６４】
この時、表示レイアウト部１６は、表示すべき文字列や図形が多くて、一度に表示できないときは、表示文字を小さくしたり、スクロール表示をしたり、あるいは、図１８（ｃ）及び（ｄ）に表したように繰り返し表示をさせてもよい。
【００６５】
この場合、繰り返し表示は、ある時間「本日のお買い得は」と表示し、次の時間は「○○です」と表示し、これを繰り返す。
【００６６】
もし、トレイ１０の上の品物（表示遮蔽物）がさらに多くなり、表示する場所がなくなった場合には、電源の消耗を防ぐために、休止状態になるようにしてもよい。これは、例えば、トレイを重ねて置いておく場合、一番上のトレイだけ表示し、その下のトレイの表示は休止させる機能としても利用できる。
【００６７】
例えば、図１４に表した処理を、ある一定時間以上時刻が経過するたび（例えば１／３０秒毎に）に繰り返し行うことで、表示情報を周囲の情報に応じて常に適当な位置に移動させることができる。
【００６８】
本実施例によれば、高い広告宣伝効果も得られる。すなわち、外食産業において、トレイに本発明を用いれば、食品によってトレイの一部がさえぎられても、トレイを持つお客に対して宣伝広告情報を提示し続けることが可能になるからである。
【００６９】
また本発明によれば、お客が意図的に一部を遮っても表示情報が移動する、つまり「逃げる」機能を持つため、（視覚的に）ユーザの興味を引きやすい。上記したトレイの具体例の場合も、宣伝広告情報が「逃げる」ことで、単に画面上に固定的に表示するよりもお客の目につきやすいため、高い宣伝効果が期待できる。
【００７０】
（第２の実施例）
次に、本発明の第２の実施例として、電車内の広告に本発明の表示装置を応用した場合について説明する。
【００７１】
図１９は、本実施例の表示装置の動作を表す模式図である。
電車の網棚３００の背面には、さまざまな広告が掲載されている。電車が空いていて、網棚３００に荷物２０が載っていない場合は、広告としての機能を果たしているから問題はない。しかし、混雑している場合など、手荷物を網棚に載せると、その後ろの一部が見えなくなってしまう。
広告を紙ではなく、本発明の表示装置により表示する。この場合、曲面に取り付ける必要があれば、フレキシブルなディスプレイ装置を利用すればよい。そのようなディスプレイ装置としては、例えば、液晶ディスプレイや、ＥＬディスプレイなどの薄型ディスプレイ装置を用いることができる。
【００７２】
また、ディスプレイの表示部１８、または、表示部１８の周囲には、ひとつないし複数のセンサ（表示遮蔽物検出部）を設ける。このセンサとしては、例えば、ＣＣＤやＣＭＯＳ方式の撮像センサや、赤外線センサなどを用いることができる。このようなセンサにより、手荷物（表示遮蔽物）２０までの距離とその形状やサイズを検出することができる。この場合、センサは、網棚３００の先端までの範囲において、手荷物２０の位置や形状、サイズを認識できれば十分である。
【００７３】
センサにより検出された手荷物２０の位置や形状、サイズに応じて、表示遮蔽領域確定部１４が表示遮蔽領域を確定する。そして、そのデータに基づき、表示レイアウト部１６が、表示すべき文字列や図形の表示位置とサイズを算出する。表示部１８は、その結果に基づいて、所定の表示データ２４を表示する。
【００７４】
本実施例の場合も、必要に応じて、ディスプレイ駆動用の電源や、表示データを格納するメモリや、データを入力する有線もしくは無線の入力機能などを設けることができる。また、表示すべきデータを、複数種類保存しておき、混雑状況や時間帯などに応じて、それら複数のデータから適当なものを選んで表示させる機能を設けても良い。
【００７５】
以下、図１９を参照しつつ説明すると、まず網棚３００になにも載っていない状態では、図１９（ａ）に表したように、「新築○○マンション、好評発売中！！  駅から徒歩１０分  東京駅まで３０分」ような広告２４が表示されている。
次に、図１９（ｂ）に表したように、網棚３００に手荷物２０を載せると、センサ（表示遮蔽物検出部）により、その手荷物２０までの距離とその形状やサイズが測定される。これらのデータは、表示遮蔽領域確定部１４に出力され、表示遮蔽領域と表示可能領域とが決定される。すると、表示レイアウト部１６は、表示すべき文字列や図形を表示可能領域内にレイアウトする。この時に、元の表示内容を縮小してそのまま表示してもよい。
【００７６】
また一方、図１９（ｃ）に表したように、表示可能領域のサイズに合わせて、「新築○○マンション  東京駅まで３０分」の如く、表示データを要約して表すようにしてもよい。また、さらに大きな手荷物２０が載せられたときは、表示を休止状態にしてもよい。
【００７７】
図２０及び図２１は、本実施例の変型例をそれぞれ表す模式図である。
すなわち図２０に表した具体例の場合、手荷物２０により縮小された表示可能領域に、元の表示データ２４をそのまま縮小して表示する。
【００７８】
また、図２１に表した具体例の場合、手荷物２０により遮られた表示データのうちの一部２４Ａ（同図においてケーキの画像とスプーンの画像）のみを移動させて表示する。
【００７９】
これらいずれの具体例の場合も、見せたい（知らせたい）情報を確実に見せるようにすることが可能である。
【００８０】
（第３の実施例）
次に、本発明の第３の実施例として、電車のホームにおける大型広告板としての実施例について説明する。
【００８１】
図２２は、本実施例の表示装置を説明するための模式図である。
すなわち、ホーム７０１から見てレールの反対側に大型広告板７０２が設置してある。この場合、人７０３は、列車がない時は、同図（ａ）に表したように、広告板７０２の全体を見渡すことができる。しかし、同図（ｂ）に表したように、列車７０４が到着すると、ホーム７０１から広告板７０２は見えなくなり、また、人７０３が列車７０４に乗って、窓越しに広告板７０２を見ても、その全体が見えにくいため広告効果が弱まる。
【００８２】
そこで、広告板７０２として、本発明の表示装置を用いる。この場合、ディスプレイ装置としては、例えば、ＬＥＤ表示装置やプラズマ表示装置などの大型ディスプレイ装置を用いることができる。また、この表示装置には、列車７０４の存在や位置を検出する表示遮蔽物検出部が設けられている。表示遮蔽物検出部は、外部から信号を受け取ることによって、列車７０４がホーム７０１に停車したことを検出してもよい。
【００８３】
またさらに、表示遮蔽物検出部は、列車７０４の窓の位置やサイズを検出するようにしてもよい。または、列車７０４の種類に応じて、これらのデータを予め格納しておいてもよい。
【００８４】
表示遮蔽領域確定部は、列車７０４がホームに停車すると、これらのデータに基づいて、列車の窓に合わせて表示装置７０２の表示内容をレイアウトする。
【００８５】
例えば、図２３に例示したように、列車７０４がないときの表示領域７０２Ａに対して、列車７０４があるときの表示領域７０２Ｂは限定されている。
【００８６】
図２４は、本実施例における表示の具体例を表す模式図である。  すなわち、列車７０４がない場合には、同図（ａ）に表したように、表示装置７０２の前面に所定の表示を表す。一方、列車７０４がある場合には、同図（ｂ）に表したように、列車の窓７０４Ａの位置とサイズに合わせて、表示内容を変更する。つまり、列車が到着すると、車窓に合わせて、広告が縮小し、その全体を見られるように、表示部分を変化させる。このとき、あらかじめ列車の窓の位置をデータとして入力しておくと、それぞれの列車の車窓に合わせて、広告が表示されるようになり、広告の効果を落とすことがない。また、列車の行き先の情報を表示してもよい。このようにして、見せたい（知らせたい）情報を確実に見せるようにする。
【００８７】
（第４の実施例）
次に、本発明の第４の実施例として、ＰＤＡ（Ｐｅｒｓｏｎａｌ  Ｄａｔａ  Ａｓｓｉｓｔａｎｔ）などと呼ばれる、小型情報端末などの表示部に、本発明を応用した具体例について説明する。
【００８８】
図２５は、本実施例の表示装置を表す模式図である。ＰＤＡなどの場合、これまでは、ガラス基板を用いた液晶などのパネルを表示部として用いている。これに対して、持ち歩くときは小さく、見るときは大きく、という要求を満たすために、ディスプレイをフレキシブルにし、持ち歩くときは、図２５（ａ）に表したようにディスプレイ部分を巻物のように収納し、見るときは、図２５（ｂ）及び（ｃ）に表したように本体８００から引き出し部８０１を引っ張ることにより、ディスプレイ８０２を引き出して用いることができるものが提案されている。このとき、引き出したディスプレイに面積により、表示内容を変えることができる。
【００８９】
すなわち、表示遮蔽物検出部１２は、ディスプレイ８０２をどのくらい引き出したかを、ディスプレイの巻き取り軸の回転数などのデータから検出することができる。そして、図２５（ｂ）に表したように、ディスプレイの一部８０２Ａのみが引き出されている状態においては、表示遮蔽領域確定部１４が表示遮蔽領域を確定し、表示レイアウト部１６がそのサイズに合わせて表示内容を適宜決定する。例えば、図２５（ｂ）のように、ディスプレイの一部のみが引き出された状態において、一番近い時刻のスケジュールなどの優先度の高いデータを表示するようにしてもよい。そして、ディスプレイ８０２の全体を引き出したときは、さらに先のスケジュールやｔｏｄｏリストなどを表示させることができる。
【００９０】
つまり、図２５（ｂ）に表したように、ディスプレイ８０２の一部のみが引き出された状態においては、表示すべき内容のうちで、もっとも優先度が高いデータ、あるいは緊急度が高いデータなどをまず表示させ、ディスプレイ８０２の全体が順次引き出されるに従って、優先度や緊急度の低いデータを順次追加的に表示させるようにすることができる。
【００９１】
（第５の実施例）
次に、本発明の第５の実施例として、表示遮蔽領域に特定の情報を表示させる表示装置について説明する。
【００９２】
図２６は、本実施例の表示装置の動作を説明するための模式図である。
例えば、ファーストフード・レストランなどで使用されるトレイに本発明を応用した場合を例示する。例えば、図２６（ａ）に斜視図、図２６（ｂ）に平面図として表したように、食品などが入った２つの容器３０１および３０２がトレイ３０３の上に置かれているとする。
【００９３】
このトレイ３０３は、本発明の表示装置を備えており、その上に置かれた物体（表示遮蔽物）を検出し、表示可能領域と表示遮蔽領域を区別することができる。図２６（ｂ）に表したように、容器（表示遮蔽物）３０１および３０２にそれぞれ対応して、トレイ３０３の表示領域には、表示遮蔽領域３０４、３０５が存在する。また、トレイ３０３の上には、たとえば、矩形状の表示可能領域３０７が存在する。
【００９４】
このような状況において、本発明の表示装置は、まず、表示可能領域３０７にクイズなどを表示する。また、表示遮蔽領域３０４、３０５には、それぞれ、そのクイズの解答に対応する情報を表示する。お客は、表示可能領域３０７に表示されたクイズの解答を考え、容器３０１、３０２のいずれかをトレイ３０３から持ち上げる。すると、それらの底に隠されていた「正解」もしくは「外れ」などの回答を知ることができる。
【００９５】
また、本実施例の変型例として、トレイ３０３の上に置かれた品物（表示遮蔽物）の形状や、温度、重量などを表示遮蔽物検出部１２によって検出し、その検出結果から、どのような品物が置かれているのかを把握することが可能となる。その判定結果を基に、例えば、トレイ３０３の上に置かれている品物に関する説明などの情報を表示可能領域３０７に表示したり、また、熱いものが置かれている時に、「熱いので注意してください」などの警告を表示させることも可能である。
【００９６】
つまり、トレイ３０３の上に置かれている品物に応じて、表示内容を適宜変更することも可能となる。
【００９７】
（第６の実施例）
次に、本発明の第６の実施例として、大型掲示板に本発明を適用した具体例について説明する。
【００９８】
図２７は、街頭テレビや大型掲示板など大画面を備えた表示装置に本発明を応用した具体例を表す模式図である。同図（ａ）に表したように、表示装置１０の画面の前に大勢の人２００が立っている場合を考える。この場合、画面の下の方には、これらの人２００によって隠蔽される領域が存在する。つまり、表示可能領域は、画面の上の方に限定されるため、実効的な表示領域の面積が減少するという問題がある。そこで、このような場合に、表示遮蔽物検出部１２が人２００の存在を検出し、表示遮蔽領域確定部１４が表示遮蔽領域を判定し、表示レイアウト部１６が、図２７（ｂ）に表したように、表示すべきデータを縦スクロールして表示させることにより、縮小された表示可能領域にすべてのデータを表示させることが可能となる。
【００９９】
（第７の実施例）
次に、本発明の第７の実施例として、表示遮蔽物の周囲に装飾パターンなどを表示する表示装置について説明する。
【０１００】
図２８は、本発明の表示装置を備えたテーブルやトレイの上に置かれた物体（表示遮蔽物）の周囲に装飾などを施して表示を行う具体例を表す模式図である。すなわち、同図（ａ）は、２つの物体３０１および３０２がテーブル３０３の上に置かれている状態を表す斜視図である。また、同図（ｂ）は、テーブルを真上から見下ろした平面図である。
【０１０１】
それぞれの物体３０１、３０２によって、テーブル３０３の上に、表示遮蔽領域３０４および３０５が存在する。これら表示遮蔽領域３０４、３０５の周囲に、装飾パターン２４Ｒを表示し、それぞれの物体を装飾することができる。装飾パターンを複数用意しておき、時間の経過とともに動的に切り替えてもよいし、色や大きさを変更してもよい。また、表示遮蔽領域３０４、３０５の形状や面積に基づいて置かれている物体を特定し、特定の物体のみを強調するように表示してもよい。またさらに、これら物体３０１、３０２の温度や重量などを検出し、それに基づく説明や警告などを表示させてもよい。
【０１０２】
（本発明の関連技術）
次に、本発明に関連した技術として、可変表示部を有する在庫管理システムについて説明する。すなわち、本システムによれば、商店などにおいて、商品の陳列棚に商品の在庫情報を客に呈示するディスプレイ装置により、商品の売り逃しを低減することができる。
【０１０３】
図２９は、本システムの全体構成を例示する模式図である。すなわち、この在庫管理システムは、ディスプレイ１００２と在庫管理コンピュータ１００４とを有する。ディスプレイ１００２は、商品１０００の背後に配置されている。また、在庫管理コンピュータ１００４は、棚管理ファイル１００５、在庫管理ファイル１００６、発注管理ファイル１００７、ディスプレイ表示内容ファイル１００８を内蔵し、またはこれらに接続されている。
【０１０４】
図３０は、商品１０００の背後に配置されたディスプレイ１００２を例示する模式図である。ディスプレイ１００２としては、例えば反射型ＬＣＤ（液晶表示装置）を用いることができる。このディスプレイ１００２は、また、光センサとしてフォトダイオード１０１１を有し、また、通信部１０１２を介して在庫管理コンピュータ１００４と通信可能とされている。そして、フォトダイオード１０１１により検出した商品１０００の有無の情報を、通信部１０１２を介して在庫管理コンピュータ１００４に送信する。また、ディスプレイ１００２の表示内容を、通信部１０１２を介して在庫管理コンピュータ１００４から受信する。
【０１０５】
図３１は、商品１０００が無くなった場合を例示する模式図である。ディスプレイ１００２の前に商品１０００が無くなると、ディスプレイ１００２は、在庫情報や商品補充予定などを表示する。
【０１０６】
図３２は、商品の陳列棚全体の様子を例示する模式図である。このように、複数種類の商品１０００が陳列され、そのうちで、商品が無くなったものは、背後のディスプレイ１００２が見えた状態になる。ディスプレイ１００２に設けられた光センサ１０１１は、店内の照明などを利用して、前面に商品があるかないかを光量の変化で検出する。このようにして商品の有無を判断し、通信部１０１２を介して在庫管理コンピュータ１００４に商品の有無に関する情報を発信する。
【０１０７】
図３３乃至図３６は、それぞれ棚管理ファイル１００５、在庫管理ファイル１００６、発注管理ファイル１００７、ディスプレイ表示内容ファイル１００８の内容を例示する表である。
すなわち、棚管理ファイル１００５は、ディスプレイ１００２が配置された棚の商品名を管理する。在庫管理ファイル１００６は、納期から求めた発注ラインを管理する。発注管理ファイル１００７は、販売ペースと最低在庫数、納期から、適正な発注頻度になるように、発注個数を管理する。ディスプレイ表示内容ファイル１００８は、在庫の有無、納期等から陳列棚に商品が無くなった場合に、ディスプレイ１００２に表示する内容を管理する。
【０１０８】
図３７は、本システムにおいて実行される処理の流れを表すフローチャートである。
【０１０９】
すなわち、商品１０００が棚にある場合は、商品１０００によって光センサ１０１１へ入射する光が遮れられていることから、ディスプレイ１００２は商品が有ることを検出し、そのまま終了する。
【０１１０】
陳列棚から商品１０００が無くなり、光センサ１０１１に入射する店内の光量が増加することで、ディスプレイ１００２は商品１０００が無くなったことを検出する。すると、ディスプレイ１００２は、商品１０００が無いという情報を在庫管理コンピュータ１００４に送信する。
在庫管理コンピュータ１００４は、商品１０００の在庫の有無を確認し、在庫がある場合は、“ただいま店員が補充に参ります”と表示するよう、ディスプレイ１００２に信号を送信すると同時に、店員に補充を適宜指示する。このための指示手段としては、店員が携帯する信号受信手段を利用しても良いし、店員が定常的に確認できるＰＯＳ端末などのディスプレイを利用しても良い。
【０１１１】
陳列棚のディスプレイ１００２には、受信した信号のとおり、“ただいま店員が補充に参ります”と表示がされる。これにより、商品１０００が無い陳列棚に、該当商品を購入する目的で客が来た場合は、速やかに商品が補充されることが分かり、陳列棚の前で待つことができる。在庫管理コンピュータ１００４から指示された店員は、商品の補充を行うが、何らかの理由で補充ができない場合は、陳列棚に商品１０００が補充されていないことがディスプレイ１００２から検出されることから、従業員が携帯する信号受信手段あるいはその他にエラー表示をすると同時に、ディスプレイ１００２に“補充に時間がかかる”との内容を掲示する。このようにして、商品１０００の購入を目的とする客が陳列棚の前にいた場合に、補充までに時間がかかることを通知できる。
【０１１２】
在庫がありながら補充が遅れることを通知された客は、店員に在庫を持ってくるよう依頼することもできるし、他の売り場を回ってから再度戻ることも可能である。いずれにしても店に在庫があることが分かることによって、客は確実に商品を購入することができる。商品陳列棚に商品が補充された後は、在庫量を再確認し、発注の要・不要を判断する。
【０１１３】
在庫が無い場合や、商品１０００を陳列棚に補充したために在庫が最低在庫数を割った場合は、既に発注がかかっているかどうかを確認してから、発注がかかっていない場合は発注をかける必要がある。発注してある、無いに関わらず、在庫が無い場合は、納期をディスプレイ１００２に表示する。これによって、商品購入目的で陳列棚まできた客には、在庫が無い場合は、納期を通知することができる。客は、納期が通知されたことで、納期後に再度来店すると判断することが可能になる。
【０１１４】
以上説明したように、本システムによれば、ディスプレイ１００２によりリアルタイムのフィードバックが可能であり、迅速且つ的確な在庫管理が可能となる。  仮に、このようなディスプレイが無いとすると、陳列棚に商品１０００が無い場合に、お客は、在庫の有無を店員に確認しない限り、その場で待つか、または購入を諦めるしかない。品揃えの悪さは店舗のイメージにも影響する。
【０１１５】
これに対して、本システムによれば、コンビニエンスストアやスーパーマーケットなどの陳列棚に設置されたディスプレイに在庫情報を表示することで、売り逃しを低減することができる。
【０１１６】
以上、具体例を参照しつつ本発明の実施の形態について説明した。しかし、本発明は、上述した各具体例に限定されるものではない。
【０１１７】
例えば、本発明の表示部は、液晶ディスプレイを用いたものには限定されず、その他、ＥＬ（ＥｌｅｃｔｒｏＬｕｍｉｎｅｓｃｅｎｔ）ディスプレイ、ＬＥＤ（Ｌｉｇｈｔ  Ｅｍｉｔｔｉｎｇ  Ｄｉｏｄｅ）ディスプレイ、プラズマディスプレイ、冷陰極型ディスプレイ、をはじめとした、各種の表示方式を用いることができる。
【０１１８】
さらに、これら表示装置を構成する各要素の構造、形状、材料、寸法などに関しても、当業者が適宜設計変更したものも、本発明の特徴を有する限り本発明の範囲に包含される。
【０１１９】
すなわち、本発明は各具体例に限定されるものではなく、その要旨を逸脱しない範囲で、種々変形して実施することが可能であり、これらすべては本発明の範囲に包含される。
【０１２０】
【発明の効果】
以上詳述したように、本発明によれば、表示面の前方に遮蔽物が存在するときに、これを考慮したレイアウトにて表示を可能とした表示装置を提供することができ産業上のメリットは多大である。
【図面の簡単な説明】
【図１】本発明の実施の形態にかかる表示装置の全体構成を例示するブロック図である。
【図２】本発明の実施形態の表示装置１０の各部において実行される処理を表すフローチャートである。
【図３】本発明の実施形態の表示装置の動作を例示する模式図である。
【図４】本発明の実施形態の表示装置の上に表示遮蔽物２０が置かれた状態を表す模式斜視図である。
【図５】本発明の実施形態の表示装置の動作を説明するための模式平面図である。
【図６】本発明の実施形態の表示装置の動作を説明するための模式平面図である。
【図７】本発明の実施形態の表示装置の動作を説明するための模式平面図である。
【図８】本発明の具体例の表示装置を説明するための模式斜視図である。
【図９】本発明の具体例の表示装置を説明するための模式斜視図である。
【図１０】本発明の具体例の表示装置を説明するための模式斜視図である。
【図１１】表示レイアウト部における処理の一例を説明するための模式図である。
【図１２】表示レイアウト部における処理の一例を説明するための模式図である。
【図１３】表示レイアウト部１６における処理の手順の一例を表すフローチャートである。
【図１４】表示レイアウト部１６における処理のもうひとつの例を表すフローチャートである。
【図１５】本発明の第１実施例の表示装置を搭載したトレイを表す模式図である。
【図１６】第１実施例の表示装置の動作の全体を表すフローチャートである。
【図１７】第１実施例の表示装置の動作をさらに詳細に表したフローチャートである。
【図１８】本発明の第１実施例の表示装置のもうひとつの動作を表す模式図である。
【図１９】本発明の第２実施例の表示装置の動作を表す模式図である。
【図２０】第２実施例の変型例を表す模式図である。
【図２１】第２実施例の変型例を表す模式図である。
【図２２】本発明の第３の実施例の表示装置を説明するための模式図である。
【図２３】列車７０４の有無の状態を表す模式図である。
【図２４】第３実施例における表示の具体例を表す模式図である。
【図２５】本発明の第４実施例の表示装置を表す模式図である。
【図２６】第４実施例の表示装置の動作を説明するための模式図である。
【図２７】街頭テレビや大型掲示板など大画面を備えた表示装置に本発明を応用した具体例を表す模式図である。
【図２８】本発明の表示装置を備えたテーブルやトレイの上に置かれた物体（表示遮蔽物）の周囲に装飾などを施して表示を行う具体例を表す模式図である。
【図２９】在庫管理システムの全体構成を例示する模式図である。
【図３０】商品１０００の背後に配置されたディスプレイ１００２を例示する模式図である。
【図３１】商品１０００が無くなった場合を例示する模式図である。
【図３２】商品の陳列棚全体の様子を例示する模式図である。
【図３３】棚管理ファイル１００５の内容を例示する表である。
【図３４】在庫管理ファイル１００６の内容を表示する表である。
【図３５】発注管理ファイル１００７の内容を表示する表である。
【図３６】ディスプレイ表示内容ファイル１００８の内容を例示する表である。
【図３７】本システムにおいて実行される処理の流れを表すフローチャートである。
【図３８】従来のトレイを表す模式図である。
【符号の説明】
１０  表示装置
１２  表示遮蔽物検出部
１４  表示遮蔽領域確定部
１６  表示レイアウト部
１８  表示部
１８Ａ  表示遮蔽領域
１８Ｂ  表示可能領域
１８Ｃ  円
１８Ｐ  画素
２０  手荷物（表示遮蔽物）
２０Ａ  接触部
２２  視線
２４  表示データ
１０１  トレイ
１０２  紙
１０３  品物
２００  人
３００  網棚
３０１  容器（物体）
３０３  テーブル
３０３  トレイ
３０４  表示遮蔽領域
３０６  装飾パターン
３０７  表示可能領域
５０３  長方形
５０４、５０５  点
７０１  ホーム
７０２  広告板（表示装置）
７０２Ａ、７０２Ｂ  表示領域
７０３  人
７０４  列車
７０４Ａ  窓
８００  本体
８０１  引き出し部
８０２  ディスプレイ
１０００  商品
１００２  ディスプレイ
１００４  在庫管理コンピュータ
１００５  棚管理ファイル
１００６  在庫管理ファイル
１００７  発注管理ファイル
１００８  ディスプレイ表示内容ファイル
１０１１  フォトダイオード
１０１２  通信部
【図１】
2004302124.tif 000003
【図２】
2004302124.tif 000004
【図３】
2004302124.tif 000005
【図４】
2004302124.tif 000006
【図５】
2004302124.tif 000007
【図６】
2004302124.tif 000008
【図７】
2004302124.tif 000009
【図８】
2004302124.tif 000010
【図９】
2004302124.tif 000011
【図１０】
2004302124.tif 000012
【図１１】
2004302124.tif 000013
【図１２】
2004302124.tif 000014
【図１３】
2004302124.tif 000015
【図１４】
2004302124.tif 000016
【図１５】
2004302124.tif 000017
【図１６】
2004302124.tif 000018
【図１７】
2004302124.tif 000019
【図１８】
2004302124.tif 000020
【図１９】
2004302124.tif 000021
【図２０】
2004302124.tif 000022
【図２１】
2004302124.tif 000023
【図２２】
2004302124.tif 000024
【図２３】
2004302124.tif 000025
【図２４】
2004302124.tif 000026
【図２５】
2004302124.tif 000027
【図２６】
2004302124.tif 000028
【図２７】
2004302124.tif 000029
【図２８】
2004302124.tif 000030
【図２９】
2004302124.tif 000031
【図３０】
2004302124.tif 000032
【図３１】
2004302124.tif 000033
【図３２】
2004302124.tif 000034
【図３３】
2004302124.tif 000035
【図３４】
2004302124.tif 000036
【図３５】
2004302124.tif 000037
【図３６】
2004302124.tif 000038
【図３７】
2004302124.tif 000039
【図３８】
2004302124.tif 000040